(57)【要約】【課題】スクリーンの移動範囲を狭めることができる表示装置、表示装置の制御方法、及び表示装置を備える移動体を提供する。【解決手段】スクリーンは、基準面に対して傾斜した表面を有する。駆動部は、スクリーンを基準面に直交する移動方向に移動させる。制御部は、投影部の光軸５００に対する傾斜角度αが所定値より小さい第１仮想面５０１上に、虚像３００としての第１虚像３０１を形成する際には、移動方向においてスクリーンを固定する。制御部は、投影部の光軸５００に対する傾斜角度βが所定値より大きい第２仮想面５０２上に、虚像３００としての第２虚像３０２を形成する際には、移動方向においてスクリーンを移動させる。【選択図】図１
2018106083.tif 000002
【特許請求の範囲】
【請求項１】
基準面に対して傾斜した表面を有するスクリーンと、
前記スクリーンを前記基準面に直交する移動方向に移動させる駆動部と、
前記スクリーンの前記表面上を走査する光を前記スクリーンに照射する照射部と、
前記スクリーンを透過し前記スクリーンから前記移動方向に沿って出力される光が入射光として入射し、前記入射光により対象空間に虚像を投影する投影部と、
前記駆動部及び前記照射部を制御する制御部と、を備え、
前記制御部は、
前記投影部の光軸に対する傾斜角度が所定値より小さい第１仮想面上に、前記虚像としての第１虚像を形成する際には、前記移動方向において前記スクリーンを固定し、
前記投影部の光軸に対する傾斜角度が前記所定値より大きい第２仮想面上に、前記虚像としての第２虚像を形成する際には、前記移動方向において前記スクリーンを移動させるように構成されている
表示装置。
【請求項２】
前記スクリーンは、
前記表面において前記基準面に対して傾斜した方向の両端に第１端部及び第２端部を更に有し、
前記照射部の光が前記第１端部に照射した状態で、前記第１虚像上の描画点から前記投影部までの光路長が最大となり、
前記照射部の光が前記第２端部に照射した状態で、前記第１虚像上の描画点から前記投影部までの光路長が最小となるように構成されている
請求項１に記載の表示装置。
【請求項３】
前記スクリーンは、
前記表面において前記基準面に対して傾斜した方向の両端に第１端部及び第２端部を更に有し、
前記照射部の動作状態は、
前記第１端部から前記第２端部に向けて前記スクリーンの前記表面上を走査する第１走査状態と、
前記第２端部から前記第１端部に向けて前記スクリーンの前記表面上を走査する第２走査状態と、を含み、
前記制御部は、前記第１虚像又は前記第２虚像が、前記第１走査状態と前記第２走査状態とのいずれか一方でのみ形成されるように、前記駆動部の動作と前記照射部の動作とを同期させるように構成されている
請求項１又は２に記載の表示装置。
【請求項４】
前記スクリーンの前記表面において前記基準面に対して傾斜した縦方向における前記照射部の走査範囲は、前記第１虚像を形成するときよりも、前記第２虚像を形成するときの方が狭い
請求項１〜３のいずれか１項に記載の表示装置。
【請求項５】
基準面に対して傾斜した表面を有するスクリーンと、
前記スクリーンを前記基準面に直交する移動方向に移動させる駆動部と、
前記スクリーンの前記表面上を走査する光を前記スクリーンに照射する照射部と、
前記スクリーンを透過し前記スクリーンから前記移動方向に沿って出力される光が入射光として入射し、前記入射光により対象空間に虚像を投影する投影部と、を備える表示装置の制御方法であって、
前記投影部の光軸に対する傾斜角度が所定値より小さい第１仮想面上に、前記虚像としての第１虚像を形成する第１処理と、
前記投影部の光軸に対する傾斜角度が前記所定値より大きい第２仮想面上に、前記虚像としての第２虚像を形成する第２処理と、を有し、
前記第１処理では、前記移動方向において前記スクリーンを固定し、
前記第２処理では、前記移動方向において前記スクリーンを移動させる
表示装置の制御方法。
【請求項６】
請求項１〜４のいずれか１項に記載の表示装置と、
前記投影部からの光を反射する反射部材と、を備える
移動体。
【発明の詳細な説明】
【技術分野】
【０００１】
本発明は、一般に表示装置、表示装置の制御方法、及び表示装置を備える移動体に関し、より詳細には、スクリーンを透過する光により対象空間に虚像を投影する表示装置、表示装置の制御方法、及び表示装置を備える移動体に関する。
【背景技術】
【０００２】
従来、車両用の表示装置として、運転に必要な運転情報映像などを、ウインドシールドを介して虚像として遠方表示する車両用ヘッドアップディスプレイ装置が知られている（例えば、特許文献１参照）。
【０００３】
特許文献１に記載の表示装置は、光を２次元的に走査する走査手段と、走査手段からの走査光によって画像が描画されるスクリーンと、を備えている。スクリーン上に形成される画像は、投影手段を介して車両のウインドシールドで反射され運転者の目に到達するので、運転者の目には、ウインドシールドの先の遠方に、虚像が視認される。特許文献１に記載の表示装置では、スクリーンの面に直交する方向にスクリーンを移動させることにより、運転者の目から虚像までの距離を変更可能である。
【先行技術文献】
【特許文献】
【０００４】
【特許文献１】特開２００９−１５０９４７号公報
【発明の概要】
【発明が解決しようとする課題】
【０００５】
しかし、特許文献１に記載の表示装置では、人（運転者）の目から虚像までの距離の調節幅は、スクリーンの移動距離に応じて決まるため、人の目から虚像までの距離の調節幅を拡大するには、スクリーンの移動範囲を広げる必要がある。スクリーンの移動範囲が広くなると、スクリーンを移動させるためのアクチュエータの大型化、アクチュエータの消費電力の増大、及びアクチュエータの動作音による騒音、といった問題を生じる可能性がある。
【０００６】
本発明は上記事由に鑑みてなされており、スクリーンの移動範囲を狭めることができる表示装置、表示装置の制御方法、及び表示装置を備える移動体を提供することを目的とする。
【課題を解決するための手段】
【０００７】
第１の態様に係る表示装置は、スクリーンと、駆動部と、照射部と、投影部と、制御部と、を備える。前記スクリーンは、基準面に対して傾斜した表面を有する。前記駆動部は、前記スクリーンを前記基準面に直交する移動方向に移動させる。前記照射部は、前記スクリーンの前記表面上を走査する光を前記スクリーンに照射する。前記投影部は、前記スクリーンを透過し前記スクリーンから前記移動方向に沿って出力される光が入射光として入射し、前記入射光により対象空間に虚像を投影する。前記制御部は、前記駆動部及び前記照射部を制御する。前記制御部は、前記投影部の光軸に対する傾斜角度が所定値より小さい第１仮想面上に、前記虚像としての第１虚像を形成する際には、前記移動方向において前記スクリーンを固定するように構成されている。前記制御部は、前記投影部の光軸に対する傾斜角度が前記所定値より大きい第２仮想面上に、前記虚像としての第２虚像を形成する際には、前記移動方向において前記スクリーンを移動させるように構成されている。
【０００８】
第２の態様に係る表示装置は、第１の態様において、前記スクリーンは、前記表面において前記基準面に対して傾斜した方向の両端に第１端部及び第２端部を更に有する。前記スクリーンは、前記照射部の光が前記第１端部に照射した状態で、前記第１虚像上の描画点から前記投影部までの光路長が最大となるように構成されている。前記スクリーンは、前記照射部の光が前記第２端部に照射した状態で、前記第１虚像上の描画点から前記投影部までの光路長が最小となるように構成されている。
【０００９】
第３の態様に係る表示装置は、第１又は２の態様において、前記スクリーンは、前記表面において前記基準面に対して傾斜した方向の両端に第１端部及び第２端部を更に有する。前記照射部の動作状態は、前記第１端部から前記第２端部に向けて前記スクリーンの前記表面上を走査する第１走査状態と、前記第２端部から前記第１端部に向けて前記スクリーンの前記表面上を走査する第２走査状態と、を含む。前記制御部は、前記第１虚像又は前記第２虚像が、前記第１走査状態と前記第２走査状態とのいずれか一方でのみ形成されるように、前記駆動部の動作と前記照射部の動作とを同期させるように構成されている。
【００１０】
第４の態様に係る表示装置は、第１〜３のいずれかの態様において、前記スクリーンの前記表面において前記基準面に対して傾斜した縦方向における前記照射部の走査範囲は、前記第１虚像を形成するときよりも、前記第２虚像を形成するときの方が狭い。
【００１１】
第５の態様に係る表示装置の制御方法は、スクリーンと、駆動部と、照射部と、投影部と、制御部と、を備える表示装置の制御方法である。前記スクリーンは、基準面に対して傾斜した表面を有する。前記駆動部は、前記スクリーンを前記基準面に直交する移動方向に移動させる。前記照射部は、前記スクリーンの前記表面上を走査する光を前記スクリーンに照射する。前記投影部は、前記スクリーンを透過し前記スクリーンから前記移動方向に沿って出力される光が入射光として入射し、前記入射光により対象空間に虚像を投影する。前記表示装置の制御方法は、第１処理と、第２処理と、を有する。前記第１処理は、前記投影部の光軸に対する傾斜角度が所定値より小さい第１仮想面上に、前記虚像としての第１虚像を形成する処理である。前記第２処理は、前記投影部の光軸に対する傾斜角度が前記所定値より大きい第２仮想面上に、前記虚像としての第２虚像を形成する処理である。前記第１処理では、前記移動方向において前記スクリーンを固定し、前記第２処理では、前記移動方向において前記スクリーンを移動させる。
【００１２】
第６の態様に係る移動体は、第１〜４のいずれかの態様に係る表示装置と、前記投影部からの光を反射する反射部材と、を備える。
【発明の効果】
【００１３】
本発明は、スクリーンの移動範囲を狭めることができる、という利点がある。
【図面の簡単な説明】
【００１４】
【図１】図１は、実施形態１に係る表示装置を備える自動車の概念図である。
【図２】図２は、同上の表示装置を用いた場合のユーザの視野を示す概念図である。
【図３】図３は、同上の表示装置の構成を示す概念図である。
【図４】図４Ａは、同上の表示装置において往路におけるスクリーンの表面上の輝点の動きを示す概念図、図４Ｂは、同上の表示装置において復路におけるスクリーンの表面上の輝点の動きを示す概念図である。
【図５】図５は、同上の表示装置における照射部の構成を示す概念図である。
【図６】図６は、同上の表示装置の動作を説明するための概念図である。
【図７】図７は、同上の表示装置において第１虚像を投影する際の動作を模式的に表す説明図である。
【図８】図８は、同上の表示装置において第２虚像を投影する際の動作を模式的に表す説明図である。
【図９】図９は、同上の表示装置の動作例を示すフローチャートである。
【図１０】図１０Ａは、同上の表示装置のスクリーンの位置の時間変化を示すグラフであって、図１０Ｂは、比較例のスクリーンの位置の時間変化を示すグラフである。
【図１１】図１１は、実施形態２に係る表示装置のスクリーンの位置及び駆動電流の時間変化を示すグラフである。
【発明を実施するための形態】
【００１５】
（実施形態１）
（１）概要
本実施形態に係る表示装置１０は、図１に示すように、例えば、移動体としての自動車１００に用いられるヘッドアップディスプレイ（ＨＵＤ：Head-Up Display）である。
【００１６】
この表示装置１０は、自動車１００のウインドシールド１０１に下方から画像を投影するように、自動車１００の車室内に設置されている。図１の例では、ウインドシールド１０１に下方のダッシュボード１０２内に、表示装置１０が配置されている。表示装置１０からウインドシールド１０１に画像が投影されると、反射部材としてのウインドシールド１０１で反射された画像がユーザ２００（運転者）に視認される。
【００１７】
このような表示装置１０によれば、ユーザ２００は、自動車１００の前方（車外）に設定された対象空間４００に投影された虚像３００を、ウインドシールド１０１越しに視認する。ここでいう「虚像」は、表示装置１０から出射される光がウインドシールド１０１等の反射物にて発散するとき、その発散光線によって、実際に物体があるように結ばれる像を意味する。そのため、自動車１００を運転しているユーザ２００は、自動車１００の前方に広がる実空間に重ねて、表示装置１０にて投影される虚像３００を見ることができる。したがって、表示装置１０によれば、例えば、車速情報、ナビゲーション情報、歩行者情報、前方車両情報、車線逸脱情報、及び車両コンディション情報等の、種々の運転支援情報を、虚像３００として表示し、ユーザ２００に視認させることができる。これにより、ユーザ２００は、ウインドシールド１０１の前方に視線を向けた状態から僅かな視線移動だけで、運転支援情報を視覚的に取得することができる。
【００１８】
本実施形態に係る表示装置１０では、対象空間４００に形成される虚像３００は、少なくとも第１虚像３０１と第２虚像３０２との２種類の虚像を含んでいる。ここでいう「第１虚像」は、第１仮想面５０１上に形成される虚像３００（３０１）である。「第１仮想面」は、表示装置１０の光軸５００に対する傾斜角度αが所定値γよりも小さい（α＜γ）仮想面である。また、ここでいう「第２虚像」は、第２仮想面５０２上に形成される虚像３００（３０２）である。「第２仮想面」は、表示装置１０の光軸５００に対する傾斜角度βが所定値γよりも大きい（β＞γ）仮想面である。ここでいう「光軸」は、後述する投影部４（図３参照）の光学系の光軸であって、対象空間４００の中心を通り虚像３００の光路に沿った軸を意味する。所定値γは一例として４５度であって、傾斜角度βは一例として９０度である。
【００１９】
本実施形態では、光軸５００は、自動車１００の前方の対象空間４００において、自動車１００の前方の路面６００に沿っている。そして、第１虚像３０１は、路面６００に略平行な第１仮想面５０１上に形成され、第２虚像３０２は、路面６００に対して略垂直な第２仮想面５０２上に形成される。例えば、路面６００が水平面である場合には、第１虚像３０１は水平面に沿って表示され、第２虚像３０２は鉛直面に沿って表示されることになる。
【００２０】
図２は、ユーザ２００の視野を示す概念図である。すなわち、本実施形態に係る表示装置１０によれば、図２に示すように、路面６００に沿って奥行きをもって視認される第１虚像３０１と、ユーザ２００から一定距離の路面６００上に直立して視認される第２虚像３０２とを表示可能である。したがって、ユーザ２００においては、第１虚像３０１については路面６００に略平行な平面上にあるように見え、第２虚像３０２については路面６００に対して略垂直な平面上にあるように見える。第１虚像３０１は、一例として、ナビゲーション情報として自動車１００の進行方向を示す情報であり、路面６００上に右折又は左折を示す矢印を提示すること等が可能である。第２虚像３０２は、一例として、前方車両又は歩行者までの距離を示す情報であり、前方車両上に前方車両までの距離（車間距離）を提示すること等が可能である。
【００２１】
（２）構成
本実施形態に係る表示装置１０は、図３に示すように、スクリーン１と、駆動部２と、照射部３と、投影部４と、制御部５と、を備えている。
【００２２】
スクリーン１は、透光性を有しており、対象空間４００（図１参照）に虚像３００（図１参照）を形成するための画像を形成する。すなわち、スクリーン１には、照射部３からの光によって画像が描画され、スクリーン１を透過する光により、対象空間４００に虚像３００が形成される。スクリーン１は、例えば、光拡散性を有し、矩形に形成された板状の部材からなる。スクリーン１は、厚さ方向の両面に表面１１及び裏面１２を有している。本実施形態では、一例として、スクリーン１の表面１１に多数の微小レンズが形成されることにより、スクリーン１の表面１１に光拡散性を有している。スクリーン１は、照射部３側に表面１１を向けた姿勢で、照射部３と投影部４との間に配置されており、表面１１を照射部３からの光が入射する入射面とする。
【００２３】
スクリーン１の表面１１は、基準面５０３に対して角度θだけ傾斜している。さらに、スクリーン１は、基準面５０３に直交する移動方向Ｘ（図３に矢印Ｘ１−Ｘ２で示す方向）に、移動可能に構成されている。ここでいう「基準面」は、スクリーン１の移動方向を規定する仮想平面であって、実在する面ではない。スクリーン１は、表面１１が基準面５０３に対して角度θだけ傾斜した姿勢を維持したまま、移動方向Ｘに直進移動可能に構成されている。ここで、スクリーン１は、表面１１において基準面５０３に対して傾斜した方向（図３の紙面上で表面１１に平行な方向）の両端に、第１端部１１１及び第２端部１１２を更に有する。スクリーン１の表面１１に沿って、これら第１端部１１１及び第２端部１１２を結ぶ方向を、「縦方向」とも呼ぶ。第１端部１１１は、表面１１において照射部３に最も近い端部であって、第２端部１１２は、表面１１において照射部３から最も遠い端部である。つまり、スクリーン１は、縦方向において、第１端部１１１に近い部位ほど照射部３に近くなり、第２端部１１２に近い部位ほど照射部３から遠くなる。
【００２４】
駆動部２は、スクリーン１を移動方向Ｘに移動させる。ここで、駆動部２は、スクリーン１を、移動方向Ｘに沿って、互いに反対向きとなる第１の向きＸ１及び第２の向きＸ２の両方に移動させることができる。第１の向きＸ１は、図３に矢印「Ｘ１」で示す向き（図３の右向き）であって、スクリーン１が照射部３から離れる向き、言い換えれば、スクリーン１が投影部４に近づく向きである。第２の向きＸ２は、図３に矢印「Ｘ２」で示す向き（図３の左向き）であって、スクリーン１が照射部３に近づく向き、言い換えれば、スクリーン１が投影部４から離れる向きである。駆動部２は、例えば、ボイスコイルモータ等の電気駆動型のアクチュエータからなり、制御部５からの第１制御信号に従って動作する。
【００２５】
照射部３は、走査型の光照射部であって、スクリーン１に対して光を照射する。すなわち、照射部３は、スクリーン１の表面１１における光の照射位置が変化するように、スクリーン１の表面１１上を走査する光をスクリーン１に照射する。具体的には、照射部３は、光源３１及び走査部３２を有している。この照射部３は、光源３１及び走査部３２の各々が制御部５からの第２制御信号を従って動作する。
【００２６】
光源３１は、レーザ光を出力するレーザモジュールからなる。この光源３１は、赤色（Ｒ）のレーザ光を出力する赤色レーザダイオードと、緑色（Ｇ）のレーザ光を出力する緑色レーザダイオードと、青色（Ｂ）のレーザ光を出力する青色レーザダイオードと、を含んでいる。これら３種類のレーザダイオードから出力される３色のレーザ光は、例えば、ダイクロイックミラーにより合成され、走査部３２に入射する。
【００２７】
走査部３２は、光源３１からの光を走査することにより、スクリーン１の表面１１上を走査する光をスクリーン１に照射する。ここで、走査部３２は、スクリーン１の表面１１の縦方向及び横方向に対し、二次元的に光を走査する、ラスタスキャン（Raster scan)を行う。ここでいう「横方向」は、スクリーン１の表面１１及び基準面５０３の両方に平行な方向であって、表面１１において「縦方向」と直交する方向（図３の紙面に直交する方向）である。
【００２８】
走査部３２は、図４Ａ及び図４Ｂに示すように、スクリーン１の表面１１上に形成される輝点Ｂ１を横方向に一次元的に走査して走査線を形成し、かつ縦方向に輝点Ｂ１を走査することで、二次元の画像を形成する。走査部３２は、このような動作を繰り返しながら、縦方向における表面１１の両端（第１端部１１１及び第２端部１１２）間を往復するように輝点Ｂ１を走査する。図４Ａは、第１端部１１１から第２端部１１２に向けて走査する「往路」における、スクリーン１の表面１１上の輝点Ｂ１の動きを概念的に示す図である。図４Ｂは、第２端部１１２から第１端部１１１に向けて走査する「復路」における、スクリーン１の表面１１上の輝点Ｂ１の動きを概念的に示す図である。
【００２９】
すなわち、本実施形態では、照射部３の動作状態は、「往路」となる第１走査状態と、「復路」となる第２走査状態と、を含んでいる。第１走査状態は、第１端部１１１から第２端部１１２に向けてスクリーン１の表面１１上を走査する動作状態である。第２走査状態は、第２端部１１２から第１端部１１１に向けてスクリーン１の表面１１上を走査する動作状態である。
【００３０】
走査部３２は、例えば、ＭＥＭＳ（Micro Electro Mechanical Systems）技術を用いた微小な走査ミラーを有している。この走査部３２は、図５に示すように、レーザ光を反射するミラー部３２１を含み、ミラー部３２１を回転させることによって、光源３１からの光を、ミラー部３２１の回転角度（振れ角）に応じた向きに反射する。これにより、走査部３２は、光源３１からの光を走査する。この走査部３２は、ミラー部３２１を、互いに直交する２軸を中心に回転させることにより、二次元的に光を走査するラスタスキャンを実現する。
【００３１】
走査部３２は、第１レンズ３２２と、第２レンズ３２３と、を更に有している。第１レンズ３２２は、光源３１とミラー部３２１との間に配置され、ミラー部３２１に対して平行光を入射する。第２レンズ３２３は、テレセントリックレンズからなり、ミラー部３２１とスクリーン１との間に配置されている。つまり、第２レンズ３２３は、レンズ全体において主光線が光軸に対して平行となる光学系であって、第２レンズ３２３を通った光は光軸（第２レンズ３２３とスクリーン１とを結ぶ直線）に平行に出力される。図５は、照射部３の構成を説明するための模式図に過ぎず、例えば、照射部３から照射された光の焦点がスクリーン１の表面１１から大きくずれた位置にある等、本実施形態に係る表示装置１０とは異なる点がある。
【００３２】
投影部４は、照射部３から出力されスクリーン１を透過する光が入射光として入射し、入射光により、対象空間４００（図１参照）に虚像３００（図１参照）を投影する。ここで、投影部４は、スクリーン１に対して移動方向Ｘに並ぶように配置されており、スクリーン１を透過しスクリーン１から移動方向Ｘに沿って出力される光により、虚像３００を投影する。投影部４は、図３に示すように、拡大レンズ４１、第１ミラー４２、及び第２ミラー４３を有している。
【００３３】
拡大レンズ４１、第１ミラー４２、及び第２ミラー４３は、スクリーン１を透過した光の経路上に、この順で配置されている。拡大レンズ４１は、スクリーン１から移動方向Ｘに沿って出力される光が入射するように、スクリーン１から見て移動方向Ｘにおける照射部３とは反対側（第１の向きＸ１側）に配置されている。拡大レンズ４１は、照射部３からの光によりスクリーン１に形成された画像７００（図７参照）を拡大し、第１ミラー４２に出力する。第１ミラー４２は、拡大レンズ４１からの光を第２ミラー４３に向けて反射する。第２ミラー４３は、第１ミラー４２からの光を、ウインドシールド１０１（図１参照）に向けて反射する。すなわち、投影部４は、照射部３からの光によってスクリーン１に形成される画像７００を、拡大レンズ４１にて拡大し、ウインドシールド１０１に投影することで、対象空間４００に虚像３００を投影する。拡大レンズ４１の光軸が、投影部４の光軸５００となる。
【００３４】
制御部５は、駆動部２及び照射部３を制御する。制御部５は、第１制御信号で駆動部２を制御し、第２制御信号で照射部３を制御する。詳しくは後述するが、制御部５は、駆動部２の動作と照射部３の動作とを同期させるように構成されている。本実施形態では、照射部３は、光源３１及び走査部３２を有している。制御部５は、第２制御信号により、光源３１及び走査部３２の両方を制御する。制御部５は、例えば、ＣＰＵ（Central Processing Unit）及びメモリを主構成とするマイクロコンピュータにて構成されている。言い換えれば、制御部５は、ＣＰＵ及びメモリを有するコンピュータにて実現されており、ＣＰＵがメモリに格納されているプログラムを実行することにより、コンピュータが制御部５として機能する。プログラムは、ここでは制御部５のメモリに予め記録されているが、インターネット等の電気通信回線を通じて、又はメモリカード等の記録媒体に記録されて提供されてもよい。
【００３５】
（３）動作
（３．１）基本動作
まず、本実施形態に係る表示装置１０の基本的な動作について、図６を参照して説明する。
【００３６】
制御部５は、照射部３を制御し、スクリーン１に対して照射部３から光を照射する。このとき、スクリーン１には、スクリーン１の表面１１上を走査する光が照射部３から照射される。これにより、スクリーン１の表面１１又は裏面１２には、画像７００（図７参照）が形成（投影）される。本実施形態では、一例として、スクリーン１の表面１１に光拡散性を有するため、画像７００はスクリーン１の表面１１に形成される。さらに、照射部３からの光はスクリーン１を透過し、投影部４（拡大レンズ４１、第１ミラー４２、及び第２ミラー４３）からウインドシールド１０１に照射する。これにより、スクリーン１に形成された画像７００は、自動車１００の車室内であってウインドシールド１０１に下方から、ウインドシールド１０１に投影される。
【００３７】
投影部４からウインドシールド１０１に画像７００が投影されると、ウインドシールド１０１は、投影部４からの光を、車室内のユーザ２００（運転者）に向けて反射する。これにより、ウインドシールド１０１で反射された画像７００が、ユーザ２００に視認される。その結果、ユーザ２００は、自動車１００の前方（車外）に投影された虚像３００を、ウインドシールド１０１越しに視認する。
【００３８】
また、制御部５は、駆動部２を制御し、スクリーン１を移動方向Ｘに移動させることができる。スクリーン１の表面１１における照射部３からの光の照射位置、つまり輝点Ｂ１の位置が同じ場合に、スクリーン１が第１の向きＸ１に移動すると、ユーザ２００の目（アイポイント）から虚像３００までの距離（以下、「視距離」ともいう）は、短く（近く）なる。反対に、スクリーン１の表面１１における輝点Ｂ１の位置が同じ場合に、スクリーン１が第２の向きＸ２に移動すると、虚像３００までの視距離は、長く（遠く）なる。要するに、虚像３００までの視距離は移動方向Ｘにおけるスクリーン１の位置によって変化し、スクリーン１が照射部３に近づくほど、スクリーン１上の輝点Ｂ１に対応して投影される虚像３００までの視距離は長くなる。言い換えれば、スクリーン１に対する照射部３からの光の照射位置が、移動方向Ｘにおいて投影部４から離れるほどに、この光により投影される虚像３００までの視距離は長くなる。
【００３９】
（３．２）具体的動作
次に、本実施形態に係る表示装置１０の具体的な動作について、図７〜図１０Ｂを参照して説明する。図７は、第１虚像３０１を投影する際の表示装置１０の動作を模式的に表す図であって、図８は、第２虚像３０２を投影する際の表示装置１０の動作を模式的に表す図である。
【００４０】
第１虚像３０１を投影する際には、図７に示すように、制御部５は、スクリーン１を移動方向Ｘ（図６参照）に移動させることなく、移動方向Ｘにおいてスクリーン１を固定する。すなわち、制御部５は、照射部３にて定位置にあるスクリーン１に光を照射するように、駆動部２及び照射部３を制御する。スクリーン１は、そもそも移動方向Ｘに対して傾斜した状態にあるため、スクリーン１が定位置にあっても、縦方向におけるスクリーン１の表面１１上の位置によって、移動方向Ｘにおける投影部４までの距離に差が生じる。そのため、スクリーン１が固定された状態にあっても、スクリーン１の表面１１における照射部３からの光の照射位置が、縦方向に変化することによって、スクリーン１の表面１１における照射部３からの光の照射位置は移動方向Ｘに変化する。その結果、スクリーン１には第１画像７０１が形成（投影）される。ここでいう「第１画像」は、スクリーン１の表面１１又は裏面１２に形成される画像７００であって、スクリーン１の表面１１に沿って形成される、つまり基準面５０３に対して傾斜した画像７００である。この第１画像７０１が、投影部４からウインドシールド１０１に投影されると、ユーザ２００は、自動車１００の前方に投影された第１虚像３０１を、ウインドシールド１０１越しに視認する。
【００４１】
例えば、スクリーン１の表面１１における照射部３からの光の照射位置が、縦方向において第１端部１１１に近づくほど、移動方向Ｘにおける投影部４から照射位置までの距離は長くなり、この光により投影される虚像３００までの視距離は長くなる。反対に、スクリーン１の表面１１における照射部３からの光の照射位置が、縦方向において第２端部１１２に近づくほど、移動方向Ｘにおける投影部４から照射位置までの距離は短くなり、この光により投影される虚像３００までの視距離は短くなる。これにより、光軸５００に対して傾斜角度αで傾斜した第１仮想面５０１上に、虚像３００としての第１虚像３０１が形成される。
【００４２】
したがって、スクリーン１が固定された状態において、照射部３が、例えば、第１端部１１１から第２端部１１２に向けて光を走査すれば、路面６００に沿って奥行きをもってユーザ２００に視認される第１虚像３０１が投影される。このときに形成される第１虚像３０１の、アイポイントＰｅ１からの視距離は、図７に示すように、スクリーン１の第１端部１１１側（上端部側）にて、スクリーン１の第２端部１１２側（下端部側）より大きくなる。言い換えれば、スクリーン１は、照射部３の光が第１端部１１１に照射した状態で、第１虚像３０１上の描画点から投影部４までの光路長が最大となるように構成されている。スクリーン１は、照射部３の光が第２端部１１２に照射した状態で、第１虚像３０１上の描画点から投影部４までの光路長が最小となるように構成されている。つまり、第１虚像３０１は、ユーザ２００から見て、上下方向（図２の上下方向）において、上端側で視距離が最大となるように光軸５００に対して傾斜した虚像となる。
【００４３】
一方、第２虚像３０２を投影する際には、図８に示すように、制御部５は、スクリーン１を移動方向Ｘに移動させる。すなわち、制御部５は、照射部３にて移動中のスクリーン１に光を照射するように、駆動部２及び照射部３を制御する。スクリーン１は、そもそも移動方向Ｘに対して傾斜した状態にあるため、スクリーン１が定位置にあると、縦方向におけるスクリーン１の表面１１上の位置によって、移動方向Ｘにおける投影部４までの距離に差が生じる。この距離の差をキャンセルするように、縦方向における照射部３からの光の照射位置の変化に同期して、スクリーン１を移動方向Ｘに移動させることによって、スクリーン１の表面１１における照射部３からの光の照射位置は移動方向Ｘにおいて不変となる。その結果、スクリーン１には第２画像７０２が形成（投影）される。ここでいう「第２画像」は、スクリーン１の表面１１又は裏面１２に形成される画像７００であって、基準面５０３に沿って形成される画像７００である。この第２画像７０２が、投影部４からウインドシールド１０１に投影されると、ユーザ２００は、自動車１００の前方に投影された第２虚像３０２を、ウインドシールド１０１越しに視認する。
【００４４】
例えば、スクリーン１の表面１１における照射部３からの光の照射位置が、縦方向において第１端部１１１に近づくときには、第１の向きＸ１にスクリーン１が移動することで、移動方向Ｘにおける投影部４から照射位置までの距離が略一定となる。反対に、スクリーン１の表面１１における照射部３からの光の照射位置が、縦方向において第２端部１１２に近づくときには、第２の向きＸ２にスクリーン１が移動することで、移動方向Ｘにおける投影部４から照射位置までの距離は略一定となる。これにより、光軸５００に対して傾斜角度β（一例として９０度）で傾斜した第２仮想面５０２上に、虚像３００としての第２虚像３０２が形成される。
【００４５】
したがって、例えば、スクリーン１が第２の向きＸ２に移動しているときに、照射部３が、第１端部１１１から第２端部１１２に向けて光を走査すれば、ユーザ２００から一定距離の路面６００上に直立して視認される第２虚像３０２が投影される。このときに形成される第２虚像３０２の、アイポイントＰｅ１からの視距離は、図８に示すように、スクリーン１の第１端部１１１側（上端部側）と、スクリーン１の第２端部１１２側（下端部側）とで略均等になる。つまり、第２虚像３０２は、ユーザ２００から見て、上下方向（図２の上下方向）において、上端側と下端側とで視距離が略均等な虚像となる。
【００４６】
ここにおいて、本実施形態では、縦方向における照射部３の走査範囲は、第１虚像３０１を形成するときよりも、第２虚像３０２を形成するときの方が狭く設定されている。すなわち、スクリーン１の表面１１上に形成される画像７００においては、第１画像７０１よりも第２画像７０２の方が縦方向の寸法が小さく設定されている。これにより、例えば、図２に例示するように、ユーザ２００の視野内においては、第１虚像３０１の上下方向の寸法よりも各第２虚像３０２の上下方向の寸法の方が小さくなる。
【００４７】
図９は、第１虚像３０１及び第２虚像３０２の両方を投影する際における、表示装置１０の動作例を示すフローチャートである。ここでは一例として、照射部３が、第１端部１１１から第２端部１１２に向けて光を走査する「往路」において、第１虚像３０１を投影し、第２端部１１２から第１端部１１１に向けて光を走査する「復路」において、第２虚像３０２を投影する場合を例示する。
【００４８】
図９に示すように、表示装置１０は、表示（虚像３００の投影）動作を開始すると、まず「往路」において、第１虚像３０１を形成（投影）するための処理を行う。すなわち、制御部５は、第１走査状態で動作するように照射部３を制御する（Ｓ１）。これにより、照射部３は、第１端部１１１から第２端部１１２に向けてスクリーン１の表面１１上を走査（ラスタスキャン）する。ここで、制御部５は、横方向に１本の走査線が描画されるごとに、第１画像７０１を描画中か否かを判断する（Ｓ２）。第１画像７０１を描画中でなければ（Ｓ２：Ｎｏ）、制御部５は、処理Ｓ１に戻って、照射部３での走査を継続する。
【００４９】
処理Ｓ２において、第１画像７０１を描画中であれば（Ｓ２：Ｙｅｓ）、制御部５は、スクリーン１を定位置（「基準位置」ともいう）に固定するように駆動部２を制御する（Ｓ３）。そして、制御部５は、第１画像７０１が完成したか否かを判断し（Ｓ４）、第１画像７０１が完成していなければ（Ｓ４：Ｎｏ）、処理Ｓ１〜Ｓ４を繰り返すことで第１画像７０１を描画する。これらの処理Ｓ１〜Ｓ４は、表示装置１０の制御方法において、第１虚像３０１を形成する第１処理に相当する。つまり、「往路」においては、スクリーン１が定位置に固定された状態で、第１画像７０１が描画されることになる。
【００５０】
第１画像７０１が完成すると（Ｓ４：Ｙｅｓ）、制御部５は、往路が終了した（照射位置が第２端部１１２に到達した）か否かを判断し（Ｓ５）、往路が終了していなければ（Ｓ５：Ｎｏ）、処理Ｓ１〜Ｓ５を繰り返し行う。これにより、「往路」においては、スクリーン１には第１画像７０１が形成（投影）される。第１画像７０１が、投影部４からウインドシールド１０１に投影されることで、対象空間４００には、路面６００に沿った第１虚像３０１が投影される。
【００５１】
往路が終了すると（Ｓ５：Ｙｅｓ）、表示装置１０は、「復路」において、第２虚像３０２を形成（投影）するための処理を行う。すなわち、制御部５は、第２走査状態で動作するように照射部３を制御する（Ｓ６）。これにより、照射部３は、第２端部１１２から第１端部１１１に向けてスクリーン１の表面１１上を走査（ラスタスキャン）する。ここで、制御部５は、横方向に１本の走査線が描画されるごとに、第２画像７０２を描画中か否かを判断する（Ｓ７）。第２画像７０２を描画中でなければ（Ｓ７：Ｎｏ）、制御部５は、処理Ｓ６に戻って、照射部３での走査を継続する。
【００５２】
処理Ｓ７において、第２画像７０２を描画中であれば（Ｓ７：Ｙｅｓ）、制御部５は、スクリーン１を第１の向きＸ１に移動させるように駆動部２を制御する（Ｓ８）。そして、制御部５は、第２画像７０２が完成したか否かを判断し（Ｓ９）、第２画像７０２が完成していなければ（Ｓ９：Ｎｏ）、処理Ｓ６〜Ｓ９を繰り返すことで第２画像７０２を描画する。これらの処理Ｓ６〜Ｓ９は、表示装置１０の制御方法において、第２虚像３０２を形成する第２処理に相当する。ここで、第２画像７０２の描画中において、第１の向きＸ１に移動するスクリーン１の移動速度は、規定速度で一定（等速）である。つまり、「復路」においては、横方向に１本の走査線が描画されるごとに、スクリーン１を照射部３から遠ざける（投影部４に近づける）ように移動させながら、第２画像７０２が描画されることになる。
【００５３】
第２画像７０２が完成すると（Ｓ９：Ｙｅｓ）、制御部５は、スクリーン１を第２の向きＸ２に移動させるように駆動部２を制御し、スクリーン１を基準位置に復帰させる（Ｓ１０）。その後、制御部５は、復路が終了した（照射位置が第１端部１１１に到達した）か否かを判断し（Ｓ１１）、復路が終了していなければ（Ｓ１１：Ｎｏ）、処理Ｓ６〜Ｓ１１を繰り返し行う。これにより、「復路」においては、スクリーン１には第２画像７０２が形成（投影）される。第２画像７０２が、投影部４からウインドシールド１０１に投影されることで、対象空間４００には、ユーザ２００から一定距離の路面６００上に直立した第２虚像３０２が投影される。
【００５４】
復路が終了すると（Ｓ１１：Ｙｅｓ）、表示装置１０は、処理Ｓ１に戻って、「往路」において、第１虚像３０１を形成（投影）するための処理を行う。表示装置１０は、表示（虚像３００の投影）動作を継続している間は、上述した処理Ｓ１〜Ｓ１１を繰り返し実行する。これにより、「往路」においては対象空間４００に第１虚像３０１が投影され、「復路」においては対象空間４００に第２虚像３０２が投影される。したがって、照射部３からの光の照射位置がスクリーン１の表面１１上を第１端部１１１と第２端部１１２との間で１往復する間に、対象空間４００に第１虚像３０１及び第２虚像３０２が投影される。照射部３における縦方向の走査が比較的高速で行われることにより、ユーザ２００においては、第１虚像３０１及び第２虚像３０２が同時に表示されているように視認される。照射部３における縦方向の走査の周波数は、一例として、６０Ｈｚ以上である。
【００５５】
図１０Ａは、図９に示すフローチャートに従って表示装置１０が動作した場合の、移動方向Ｘにおけるスクリーン１の位置の時間変化を示すグラフである。図１０Ｂは、移動方向Ｘに対してスクリーン１の表面１１が直交するようにスクリーン１を配置した比較例についての、同様のグラフである。図１０Ａ及び図１０Ｂでは、横軸を時間軸とし、スクリーン１の位置を縦軸に示している。
【００５６】
図１０Ａに示すように、照射部３が、第１端部１１１から第２端部１１２に向けて光を走査する「往路」の期間Ｔ１においては、移動方向Ｘにおけるスクリーン１の位置は基準位置Ｐｓ１に固定されている。つまり、スクリーン１が基準位置Ｐｓ１に固定されている状態で、スクリーン１には第１画像７０１が形成され、対象空間４００には第１虚像３０１が投影される。
【００５７】
一方、照射部３が、第２端部１１２から第１端部１１１に向けて光を走査する「復路」の期間Ｔ２においては、移動方向Ｘにおけるスクリーン１の位置は第２画像７０２を描画するタイミングに合わせて変化する。ここでは、期間Ｔ２における期間Ｔ２１，Ｔ２２，Ｔ２３の各々が、第２画像７０２の描画中の期間を表している。すなわち、スクリーン１が基準位置Ｐｓ１から第１の向きＸ１に移動している状態で、スクリーン１には第２画像７０２が形成され、対象空間４００には第２虚像３０２が投影される。このとき、スクリーン１の移動速度は等速である。そして、第２画像７０２が形成される度に、スクリーン１は第２の向きＸ２に移動して基準位置Ｐｓ１に復帰する。このような第２画像７０２を形成するための処理が、期間Ｔ２１，Ｔ２２，Ｔ２３にて複数回（ここでは３回）行われることにより、対象空間４００には、視距離が異なる複数（ここでは３つ）の第２虚像３０２が投影される（図２参照）。図１０Ａの例では、第２端部１１２付近に第２画像７０２が形成される期間Ｔ２１において、第２虚像３０２の視距離が最短となり、第１端部１１１付近に第２画像７０２が形成される期間Ｔ２３において、第２虚像３０２の視距離が最長となる。
【００５８】
これに対して、比較例では、図１０Ｂに示すように、「往路」の期間Ｔ１において、第１虚像３０１を投影するために、スクリーン１が第１の向きＸ１に移動し続けることになる。一方、「復路」の期間Ｔ２においては、第２画像７０２の描画中の期間Ｔ２１，Ｔ２２，Ｔ２３にのみスクリーン１を停止し、それ以外の期間はスクリーン１が第２の向きＸ２に移動し続けることになる。
【００５９】
このように、本実施形態に係る表示装置１０では、スクリーン１は、第２画像７０２を描画するときの振幅、つまり図１０Ａに「Ａ１」で示す振幅での移動が可能であればよい。これに対し、比較例では、スクリーン１は、第１画像７０１を描画するときの振幅、つまり図１０Ｂに「Ａ２」で示す振幅での移動が必要である。したがって、本実施形態に係る表示装置１０と比較例とでは、スクリーン１の移動範囲が異なっており、本実施形態に係る表示装置１０の方がスクリーン１の移動範囲を狭く抑えることができる（Ａ１＜Ａ２）。
【００６０】
（４）まとめ
以上説明したように、第１の態様に係る表示装置１０は、スクリーン１と、駆動部２と、照射部３と、投影部４と、制御部５と、を備える。スクリーン１は、基準面５０３に対して傾斜した表面１１を有する。駆動部２は、スクリーン１を基準面５０３に直交する移動方向Ｘに移動させる。照射部３は、スクリーン１の表面１１上を走査する光をスクリーン１に照射する。投影部４は、スクリーン１を透過しスクリーン１から移動方向Ｘに沿って出力される光が入射光として入射し、入射光により対象空間４００に虚像３００を投影する。制御部５は、駆動部２及び照射部３を制御する。制御部５は、投影部４の光軸５００に対する傾斜角度αが所定値γより小さい第１仮想面５０１上に、虚像３００としての第１虚像３０１を形成する際には、移動方向Ｘにおいてスクリーン１を固定するように構成されている。制御部５は、投影部４の光軸５００に対する傾斜角度βが所定値γより大きい第２仮想面５０２上に、虚像３００としての第２虚像３０２を形成する際には、移動方向Ｘにおいてスクリーン１を移動させるように構成されている。
【００６１】
この構成によれば、投影部４の光軸５００に対する傾斜角度αが比較的小さい第１虚像３０１、つまりユーザ２００から見て路面６００に対する角度が浅い第１虚像３０１については、スクリーン１が固定された状態で投影される。したがって、第１虚像３０１を投影する際にスクリーン１を移動させる比較例に比べて、スクリーン１の移動範囲を狭く抑えることができる、という利点がある。スクリーン１の移動範囲が狭くなると、例えば、スクリーン１を移動させるための駆動部２（アクチュエータ）の小型化、駆動部２の消費電力の低減、及び駆動部２の動作音の減少等につながる。
【００６２】
第２の態様に係る表示装置１０は、第１の態様において、スクリーン１は、表面１１において基準面５０３に対して傾斜した方向の両端に第１端部１１１及び第２端部１１２を更に有する。スクリーン１は、照射部３の光が第１端部１１１に照射した状態で、第１虚像３０１上の描画点から投影部４までの光路長（視距離）が最大となるように構成されている。スクリーン１は、照射部３の光が第２端部１１２に照射した状態で、第１虚像３０１上の描画点から投影部４までの光路長（視距離）が最小となるように構成されている。
【００６３】
この構成によれば、スクリーン１が固定された状態にあっても、第１端部１１１側ほど視距離が長くなり、第２端部１１２側ほど視距離が短くなるような、奥行きをもった第１虚像３０１を投影することができる。
【００６４】
第３の態様に係る表示装置１０は、第１又は２の態様において、スクリーン１は、表面１１において基準面５０３に対して傾斜した方向の両端に第１端部１１１及び第２端部１１２を更に有する。照射部３の動作状態は、第１端部１１１から第２端部１１２に向けてスクリーン１の表面１１上を走査する第１走査状態と、第２端部１１２から第１端部１１１に向けてスクリーン１の表面１１上を走査する第２走査状態と、を含む。制御部５は、第１虚像３０１又は第２虚像３０２が、第１走査状態と第２走査状態とのいずれか一方でのみ形成されるように、駆動部２の動作と照射部３の動作とを同期させるように構成されている。
【００６５】
この構成によれば、第１虚像３０１又は第２虚像３０２が、第１走査状態と第２走査状態のいずれか一方でのみ形成される。例えば、実施形態１では、第１虚像３０１が第１走査状態（往路）でのみ形成され、第２虚像３０２が第２走査状態（復路）でのみ形成される場合を示した。この場合、第１走査状態においては、スクリーン１を定位置に固定したままとできるので、駆動部２の制御が簡単になる。
【００６６】
第４の態様に係る表示装置１０は、第１〜３のいずれかの態様において、スクリーン１の表面１１において基準面５０３に対して傾斜した縦方向における照射部３の走査範囲は、第１虚像３０１を形成するときよりも、第２虚像３０２を形成するときの方が狭い。
【００６７】
この構成によれば、第２虚像３０２を形成するときのスクリーン１の表面１１における照射部３の走査範囲が狭いので、第２虚像３０２を形成するときのスクリーン１の移動量をより小さく抑えることができる。
【００６８】
第５の態様に係る表示装置１０の制御方法は、スクリーン１と、駆動部２と、照射部３と、投影部４と、制御部５と、を備える表示装置１０の制御方法である。スクリーン１は、基準面５０３に対して傾斜した表面１１を有する。駆動部２は、スクリーン１を基準面５０３に直交する移動方向Ｘに移動させる。照射部３は、スクリーン１の表面１１上を走査する光をスクリーン１に照射する。投影部４は、スクリーン１を透過しスクリーン１から移動方向Ｘに沿って出力される光が入射光として入射し、入射光により対象空間４００に虚像３００を投影する。表示装置１０の制御方法は、第１処理と、第２処理と、を有する。第１処理は、投影部４の光軸５００に対する傾斜角度αが所定値γより小さい第１仮想面５０１上に、虚像３００としての第１虚像３０１を形成する処理である。第２処理は、投影部４の光軸５００に対する傾斜角度βが所定値γより大きい第２仮想面５０２上に、虚像３００としての第２虚像３０２を形成する処理である。第１処理では、移動方向Ｘにおいてスクリーン１を固定し、第２処理では、移動方向Ｘにおいてスクリーン１を移動させる。
【００６９】
この方法によれば、投影部４の光軸５００に対する傾斜角度αが比較的小さい第１虚像３０１、つまりユーザ２００から見て路面６００に対する角度が浅い第１虚像３０１については、スクリーン１が固定された状態で投影される。したがって、第１虚像３０１を投影する際にスクリーン１を移動させる比較例に比べて、スクリーン１の移動範囲を狭く抑えることができる、という利点がある。スクリーン１の移動範囲が狭くなると、例えば、スクリーン１を移動させるための駆動部２（アクチュエータ）の小型化、駆動部２の消費電力の低減、及び駆動部２の動作音の減少等につながる。
【００７０】
第６の態様に係る移動体（例えば自動車１００）は、第１〜４のいずれかの態様に係る表示装置１０と、投影部４からの光を反射する反射部材（例えばウインドシールド１０１）と、を備える。
【００７１】
この構成によれば、投影部４の光軸５００に対する傾斜角度αが比較的小さい第１虚像３０１、つまりユーザ２００から見て路面６００に対する角度が浅い第１虚像３０１については、スクリーン１が固定された状態で投影される。したがって、第１虚像３０１を投影する際にスクリーン１を移動させる比較例に比べて、スクリーン１の移動範囲を狭く抑えることができる、という利点がある。スクリーン１の移動範囲が狭くなると、例えば、スクリーン１を移動させるための駆動部２（アクチュエータ）の小型化、駆動部２の消費電力の低減、及び駆動部２の動作音の減少等につながる。
【００７２】
第２〜第４の態様に係る構成については、表示装置１０に必須の構成ではなく、適宜省略可能である。また、第５の態様に係る表示装置１０の制御方法についても、実施形態１に係る表示装置１０と同様に、種々の構成を適用可能である。
【００７３】
（５）変形例
実施形態１は、本発明の様々な実施形態の一つに過ぎない。実施形態１は、本発明の目的を達成できれば、設計等に応じて種々の変更が可能である。さらに、実施形態１に係る態様は、単体の表示装置で具現化されることに限らない。例えば、システム、表示装置の制御方法、コンピュータプログラム、又はプログラムを記憶した記憶媒体等で、実施形態１に係る態様が具現化されてもよい。
【００７４】
以下、実施形態１の変形例を列挙する。以下に説明する変形例は、適宜組み合わせて適用可能である。
【００７５】
制御部５は、駆動部２及び照射部３を制御する構成であればよく、駆動部２を制御する機能と、照射部３を制御する機能とは一体でなくてもよい。例えば、駆動部２を制御する制御部と、照射部３を制御する制御部とが、別体として設けられ、互いに同期するように構成されていてもよい。
【００７６】
また、表示装置１０は、第１虚像３０１及び第２虚像３０２を同時に投影する構成に限らず、例えば、第１虚像３０１のみを投影するモード、第２虚像３０２のみを投影するモードを有していてもよい。
【００７７】
また、照射部３の動作状態は、第１走査状態（往路）及び第２走査状態（復路）のいずれか一方のみであってもよい。この場合、第１虚像３０１及び第２虚像３０２は、第１走査状態（往路）及び第２走査状態（復路）のいずれか一方で形成される。
【００７８】
さらに、実施形態１では、第１虚像３０１が第１走査状態（往路）でのみ形成され、第２虚像３０２が第２走査状態（復路）でのみ形成される場合を示したが、この構成に限らない。例えば、第１虚像３０１が第２走査状態（復路）でのみ形成され、第２虚像３０２が第１走査状態（往路）でのみ形成されてもよいし、第１虚像３０１又は第２虚像３０２が、第１走査状態（往路）及び第２走査状態（復路）の両方で形成されてもよい。さらに、第１虚像３０１及び第２虚像３０２の両方が、第１走査状態（往路）及び第２走査状態（復路）の両方で形成されてもよい。この場合に、第１虚像３０１及び第２虚像３０２の少なくとも一部について、第１走査状態（往路）及び第２走査状態（復路）の両方で同じ虚像３００が形成されることにより、虚像３００の輝度を高めることができる。
【００７９】
また、スクリーン１の表面１１において基準面５０３に対して傾斜した縦方向における照射部３の走査範囲は、第１虚像３０１を形成するときよりも、第２虚像３０２を形成するときの方が広くてもよい。
【００８０】
また、対象空間４００に、図２に示すように、視距離が異なる複数（ここでは３つ）の第２虚像３０２が投影されることは表示装置１０に必須の構成ではなく、対象空間４００には、１つの第２虚像３０２のみが投影されてもよい。
【００８１】
また、スクリーン１は、表面１１にのみ光拡散性を有する構成に限らず、例えば、裏面１２にのみ、又は表面１１及び裏面１２の両方に光拡散性を有していてもよい。スクリーン１の裏面１２に光拡散性を有する場合、画像７００はスクリーン１の裏面１２に形成される。
【００８２】
また、表示装置１０は、自動車１００の進行方向の前方に設定された対象空間４００に虚像３００を投影する構成に限らず、例えば、自動車１００の進行方向の側方、後方、又は上方等に虚像３００を投影してもよい。
【００８３】
また、スクリーン１は、移動方向Ｘに直進移動するだけでなく、例えば、基準面５０３に対する表面１１の傾斜角度θを変化させるように、回転可能に構成されていてもよい。
【００８４】
また、投影部４は、中間像を形成するためのリレー光学系を含んでいてもよいし、リレー光学系を含んでいなくてもよい。
【００８５】
また、表示装置１０は、自動車１００に用いられるヘッドアップディスプレイに限らず、例えば、二輪車、電車、航空機、建設機械、及び船舶等、自動車１００以外の移動体にも適用可能である。さらに、表示装置１０は、移動体に限らず、例えば、アミューズメント施設で用いられてもよいし、ヘッドマウントディスプレイ（ＨＭＤ：Head Mounted Display）等のウェアラブル端末、医療設備、又は据置型の装置として用いられてもよい。
【００８６】
（実施形態２）
本実施形態に係る表示装置１０は、スクリーン１を移動させるための駆動部２の制御内容が、実施形態１に係る表示装置１０とは相違する。以下、実施形態１と同様の構成については、共通の符号を付して適宜説明を省略する。
【００８７】
本実施形態では、制御部５は、移動方向Ｘにおけるスクリーン１の急激な加速及び減速を抑制するように、駆動部２を制御する。具体的には、制御部５は、スクリーン１が停止している状態とスクリーン１が移動している状態との切替時、及びスクリーン１が移動する向きの切替時において、スクリーン１に加わる加速度を規定値以下に抑えるように、駆動部２の制御パターンを規定する。
【００８８】
図１１は、第２画像７０２を描画する期間Ｔ２１（図１０Ａ参照）及びその前後の期間について、移動方向Ｘにおけるスクリーン１の位置、及び駆動部２の駆動電流（消費電力と同じ）の時間変化を示すグラフである。図１１では、横軸を時間軸とし、上段にスクリーン１の位置、下段に駆動電流を示している。
【００８９】
実施形態１の構成では、図１１に「Ｇ２」（破線）で示すように、基準位置Ｐｓ１に静止しているスクリーン１が期間Ｔ２１の始点にて急に規定速度での移動を開始し、さらに、期間Ｔ２１の終点にてスクリーン１の移動の向きが急に切り替わる。また、スクリーン１が基準位置Ｐｓ１に復帰するとスクリーン１が急に停止する。そのため、駆動部２を流れる駆動電流においては、図１１に「Ｉ２」（破線）で示すように、期間Ｔ２１の始点、終点、及びスクリーン１が停止するタイミングにおいてパルス状の高周波成分が発生することがある。
【００９０】
これに対して、本実施形態の構成では、スクリーン１の移動速度が連続的に変化するように、図１１に「Ｇ１」（実線）で示すように、期間Ｔ２１の前後の期間を利用して、スクリーン１の急激な加速及び減速を抑制する。すなわち、制御部５は、駆動部２に流す駆動電流が、図１１に「Ｉ１」（実線）で示すような滑らかな波形となるように、期間Ｔ２１の前後の期間を通じて駆動部２を制御する。これにより、期間Ｔ２１におけるスクリーン１の移動速度を規定速度に維持しながらも、スクリーン１に加わる加速度を規定値以下に抑えることができる。また、スクリーン１が基準位置Ｐｓ１に復帰する際にも、スクリーン１を徐々に減速することにより、スクリーン１の急停止が回避可能である。
【００９１】
以上説明したように、本実施形態に係る表示装置１０によれば、スクリーン１に加わる加速度を規定値以下に抑えることができ、その結果、駆動部２の駆動電流においてはパルス状の高周波成分の発生が抑制される。これにより、スクリーン１及び駆動部２に加わる衝撃を緩和でき、また、高周波成分に起因した騒音の発生を抑制できる、という利点がある。
【００９２】
実施形態２で説明した駆動部２の制御内容は一例に過ぎず、例えば、制御部５は、移動方向Ｘにおけるスクリーン１の位置が時系列に沿って正弦波状に変化するように、駆動部２を制御してもよい。
【００９３】
実施形態２に係る表示装置１０の構成（変形例を含む）は、実施形態１（変形例を含む）の構成と適宜組み合わせ可能である。
【００９４】
上記各実施形態で示した図面は、表示装置１０の一例を説明するための概念図に過ぎず、実際の表示装置１０とは、各部の形状、サイズ、及び位置関係等が適宜異なる。
【符号の説明】
【００９５】
１  スクリーン
１１  表面
１１１  第１端部
１１２  第２端部
２  駆動部
３  照射部
４  投影部
５  制御部
１００  自動車（移動体）
１０１  ウインドシールド（反射部材）
３００  虚像
３０１  第１虚像
３０２  第２虚像
５００  光軸
５０１  第１仮想面
５０２  第２仮想面
５０３  基準面
Ｘ１−Ｘ２（Ｘ）  移動方向
【図１】
2018106083.tif 000003
【図２】
2018106083.tif 000004
【図３】
2018106083.tif 000005
【図４】
2018106083.tif 000006
【図５】
2018106083.tif 000007
【図６】
2018106083.tif 000008
【図７】
2018106083.tif 000009
【図８】
2018106083.tif 000010
【図９】
2018106083.tif 000011
【図１０】
2018106083.tif 000012
【図１１】
2018106083.tif 000013